(57)【特許請求の範囲】
【請求項１】
装置を支持マウントに調整自在に取着するとともに装置に対するケーブルを内部に隠す延長アームであって、 本体と、該本体の第１の端部に配置された装置に取着する手段と、第２の端部に配置された第２の端部のカップリングとを有するフォアアーム延長体を備え、前記第２の端部のカップリングには、前記第２の端部のカップリングと前記本体が前記ケーブルスロットを介して互いに連通するように、壁にケーブルスロットが形成され、更に、
支持マウントに取着された支持シャフトを含む第１の端部キャップと、
部分閉止ハウジング及び前記第２の端部のカップリングに回動自在に取着された中空シャフトを有する第２の端部キャップと、
第１の端部に配置されかつ前記第１の端部キャップに回動自在に取着されるように構成された第１のローラと、第２の端部に配置されかつ前記第２の端部キャップに回動自在に取着されるように構成された第２のローラとを有する上部チャンネルと、
下部チャンネルであって、第１の端部に配置されかつ前記第１の端部キャップに回動自在に取着されるように構成された第３のローラと、第２の端部に配置されかつ前記第２の端部キャップに回動自在に取着されるように構成された第４のローラと、前記下部チャンネルの第１の端部に接近した点から前記下部チャンネルの第２の端部へ前記下部チャンネルに沿って長手方向に延びて前記第４のローラを横切るとともに前記下部チャンネルの第２の端部に開口を形成するように内部に形成されたケーブルチャンネルとを有する下部チャンネルと、
第１の端部が前記上部チャンネルに回転自在に取着されかつ第２の端部が前記第１の端部キャップに調整自在に取着されたガスばねとを備え、該ガスばねは装置が配置されたときに前記上部チャンネル、前記下部チャンネル、前記第１の端部キャップ及び前記第２の端部キャップを平行四辺形の形状に保持するように構成されていることを特徴とする延長アーム。
【請求項２】
装置からのケーブルをさらに備え、前記装置からのケーブルは、前記フォアアーム延長体の前記本体で開始し、前記ケーブルスロットを介して前記第２の端部のカップリングに延び、前記第２の端部のカップリングを介して前記中空シャフトに延び、前記中空シャフトを介して前記部分閉止ハウジングに延び、前記部分閉止ハウジングを介して前記下部チャンネルに延び、更に前記下部チャンネルを介して延びて前記ケーブルチャンネルの出発点で出るように前記延長アーム内に配置されていることを特徴とする請求項１に記載の延長アーム。
【請求項３】
前記上部チャンネルには内部にねじ付き孔が形成されていることを特徴とする請求項２に記載の延長アーム。
【請求項４】
前記ガスばねの第２の端部は前記上部チャンネルの前記ねじ付き孔に螺着されたボールスタッドを介して前記上部チャンネルに回転自在に取着されていることを特徴とする請求項３に記載の延長アーム。
【請求項５】
前記ねじ付き孔は前記上部チャンネルの一体部分となるように前記上部チャンネルと一体注型されることを特徴とする請求項２に記載の延長アーム。
【請求項６】
前記取着手段は第１の端部のカップリングであることを特徴とする請求項１に記載の延長アーム。
【請求項７】
前記第１の端部のカップリングには側壁に止めねじが配設されていることを特徴とする請求項６に記載の延長アーム。
【請求項８】
前記第１の端部のカップリングの内面には複数の溝が形成されていることを特徴とする請求項６に記載の延長アーム。
【請求項９】
前記第１の端部のカップリングは第１の軸線方向の中心線を有し、前記第２の端部のカップリングは第２の軸線方向の中心線を有し、前記第１の軸線方向の中心線と前記第２の軸線方向の中心線は互いに平行であることを特徴とする請求項６に記載の延長アーム。
【請求項１０】
前記第１の軸線方向の中心線と前記第２の軸線方向の中心線は、前記フォアアーム延長体の前記本体の長手方向の中心線に対して直交していることを特徴とする請求項９に記載の延長アーム。
【請求項１１】
前記第１の端部のカップリングの中心線と前記第２の端部のカップリングの中心線は、前記フォアアーム延長体の前記本体の長手方向の中心線と整合されていることを特徴とする請求項６に記載の延長アーム。
【請求項１２】
前記第１の端部のカップリングと前記第２の端部のカップリングが垂直に配置されると、前記フォアアーム延長体の前記本体は前記カップリング間に傾斜して配置されていることを特徴とする請求項６に記載の延長アーム。
【請求項１３】
前記第１の端部のカップリングと前記第２の端部のカップリングが垂直に配置されると、前記フォアアーム延長体の前記本体は前記カップリング間に水平に配置されていることを特徴とする請求項６に記載の延長アーム。
【請求項１４】
前記フォアアーム延長体の前記本体の縁部は、前記第１の端部のカップリングの第１の縁部及び前記第２の端部のカップリングの第１の縁部に整合されていることを特徴とする請求項６に記載の延長アーム。
【請求項１５】
前記上部チャンネルの前記第１及び第２のローラは前記上部チャンネルの一体部分となるように前記上部チャンネルと一体注型され、かつ、前記下部チャンネルの前記第３及び第４のローラは前記下部チャンネルの一体部分となるように前記下部チャンネルと一体注型されていることを特徴とする請求項１に記載の延長アーム。
【請求項１６】
前記下部チャンネルの前記ケーブルチャンネルは、前記下部チャンネルの一体部分となるように前記下部チャンネルと一体注型されていることを特徴とする請求項１に記載の延長アーム。
【請求項１７】
前記支持シャフトは前記第１の端部キャップの第１の端部に連結され、前記第１の端部キャップの第２の端部は内部に孔を有していることを特徴とする請求項１に記載の延長アーム。
【請求項１８】
前記第１の端部キャップは更に、 
前記ガスばねの第２の端部に回動自在に取着されたクレビスと、 
該クレビスと螺合し、かつ、軸線方向の中心線を有するロッドとを有し、 前記クレビスは前記ロッドが前記軸線方向の中心線を中心に回転すると前記第１の端部キャップ内で摺動するように構成されていることを特徴とする請求項１７に記載の延長アーム。
【請求項１９】
前記ロッドの第１の端部は、前記第１の端部キャップの前記第２端部内の前記孔に挿通されていることを特徴とする請求項１８に記載の装置。
【請求項２０】
前記ロッドの第１の端部は付形開口を有するとともに、付形キーが前記付形開口に挿入されて廻されると前記軸線方向の中心線を中心に回転するように構成されていることを特徴とする請求項１９に記載の延長アーム。
【請求項２１】
前記ロッドは第１の端部に隣接して肩部を有し、該肩部は該肩部が前記第１の端部キャップの前記第２の端部の内面に当接して前記ロッドの第１の端部を前記孔に保持するように前記第１の端部キャップの前記孔の直径よりも大きい直径を有していることを特徴とする請求項１９に記載の延長アーム。
【請求項２２】
前記第１の端部キャップは、溝により分離されている１対の棚を更に有していることを特徴とする請求項１８に記載の延長アーム。
【請求項２３】
前記１対の棚は、前記第１の端部に隣接して前記第１の端部キャップに配置されていることを特徴とする請求項２２に記載の延長アーム。
【請求項２４】
前記１対の棚は内部にタッピンねじ孔が配設されていることを特徴とする請求項２２に記載の延長アーム。
【請求項２５】
前記ロッドの第２の端部は前記第１の端部キャップの前記溝内に回転自在取着されるとともに、前記棚に取着された保持クリップにより所定に位置に保持されていることを特徴とする請求項２２に記載の延長アーム。
【請求項２６】
前記保持クリップはねじによって前記一対の棚に取着されていることを特徴とする請求項２５に記載の延長アーム。
【請求項２７】
前記上部チャンネルには内部にねじ付き孔が形成されていることを特徴とする請求項１に記載の延長アーム。
【請求項２８】
前記ガスばねの第２の端部は、前記上部チャンネルの前記ねじ付き孔に螺着されたボールスタッドを介して前記上部チャンネルに回転自在に取着されていることを特徴とする請求項２７に記載の延長アーム。
【請求項２９】
前記ねじ付き孔は、前記上部チャンネルの一体部分となるように前記上部チャンネルと一体注型されていることを特徴とする請求項２７に記載の延長アーム。
【請求項３０】
前記延長アームは亜鉛材料を有していることを特徴とする請求項１に記載の延長アーム。
【請求項３１】
前記延長アームは注型されていることを特徴とする請求項１に記載の延長アーム。
【請求項３２】
前記延長アームは連動成形により形成されていることを特徴とする請求項１に記載の延長アーム。
【請求項３３】
前記手段に取着されたフラットスクリーン装置を備えた装置を更に有していることを特徴とする請求項１に記載の延長アーム。
【請求項３４】
前記延長アームはフラットスクリーン装置が取り付け面に対してフラットに配置されたときにフラットスクリーン装置の背後に実質上隠されるように構成されていることを特徴とする請求項３３に記載の延長アーム。
【請求項３５】
各ローラは軸線方向の中心線において内部に孔を有し、前記第１の端部キャップは、前記第１のローラ内の前記孔に整合する上部縁部上の第１の１対の孔と、前記第３のローラ内の前記孔に整合する下部縁部上の第２の１対の孔とを有し、前記第２の端部キャップは、前記第２のローラ内の前記孔に整合する上部縁部上の第１の１対の孔と、前記第４のローラ内の前記孔に整合する下部縁部上の第２の１対の孔とを有していることを特徴とする請求項１に記載の延長アーム。
【請求項３６】
前記各端部キャップは、ピンを、前記各端部キャップ内の前記各孔を通って、前記各ローラ内の前記各それぞれの孔に挿入することで、前記各チャンネルに回動自在に取着されていることを特徴とする請求項３５に記載の延長アーム。
【請求項３７】
前記第１の端部キャップは、第１の端部及び第２の端部に近接した位置で、前記第１の端部キャップの内部に配置されたストッパを更に有していることを特徴とする請求項１に記載の延長アーム。
【請求項３８】
前記第１の端部キャップは、前記第１の端部キャップの内部に１対のトラフ壁を更に有し、前記１対のトラフ壁は相互間にトラフを形成していることを特徴とする請求項１に記載の延長アーム。
【請求項３９】
前記上部チャンネル、前記下部チャンネル、前記第１の端部キャップ及び前記第２の端部キャップは、前記支持シャフトと前記中空シャフトが反対方向を向くように回動自在に取着されていることを特徴とする請求項１に記載の延長アーム。
【請求項４０】
前記ケーブルチャンネルは、前記下部チャンネルの長手方向の中心線に平行な２つの対向する縁部を有していることを特徴とする請求項１に記載の延長アーム。
【請求項４１】
前記ケーブルチャンネルの一端が丸くされていることを特徴とする請求項１に記載の延長アーム。
【請求項４２】
前記ケーブルチャンネルに取り外し自在に取着可能であるケーブルカバーを更に備えていることを特徴とする請求項１に記載の延長アーム。
【請求項４３】
前記上部及び下部チャンネルの前記ローラの各々は、互いに平行な軸線方向の中心線を有していることを特徴とする請求項１に記載の延長アーム。
【請求項４４】
前記上部及び下部チャンネルの前記ローラの各々の前記軸線方向の中心線は、前記チャンネルの各々の長手方向の中心線に対して直交していることを特徴とする請求項４３に記載の延長アーム。
【請求項４５】
前記第２の端部のカップリングには側壁に止めねじが形成されていることを特徴とする請求項１に記載の延長アーム。
【請求項４６】
前記第２の端部のカップリングの内面には複数の溝が形成されていることを特徴とする請求項１に記載の延長アーム。
【請求項４７】
前記フォアアーム延長体の本体はＵ字状チャンネルであることを特徴とする請求項１に記載の延長アーム。
【請求項４８】
前記Ｕ字状チャンネルは、前記Ｕ字状チャンネルの開口が下に向くように配置されていることを特徴とする請求項４７に記載の延長アーム。
【請求項４９】
前記Ｕ字状チャンネルは、内部に配設されたケーブルホルダを備えていることを特徴とする請求項４７に記載の延長アーム。
【請求項５０】
前記部分閉止ハウジングは、第１の端部壁と、第２の端部壁と、少なくとも１つの側壁とを有し、前記第１の端部壁は端部壁孔を有していることを特徴とする請求項１に記載の延長アーム。
【請求項５１】
前記中空シャフトは互いに連結された２つの対称をなす端部キャップアダプタを有していることを特徴とする請求項５０に記載の延長アーム。
【請求項５２】
前記対称をなす端部キャップアダプタは、それぞれ半円形の横断面プロファイルを有していることを特徴とする請求項５１に記載の延長アーム。
【請求項５３】
前記中空シャフトは第１の直径を有する部分と、第１の直径よりも大きい第２の直径を有する部分とを含むことを特徴とする請求項５０に記載の延長アーム。
【請求項５４】
前記中空シャフトの第２の直径は前記端部壁の直径とほぼ同じであることを特徴とする請求項５３に記載の延長アーム。
【請求項５５】
第２の直径を有する前記中空シャフトの前記部分は前記端部壁の孔に挿入されていることを特徴とする請求項５３に記載の延長アーム。
【請求項５６】
前記第１の端部壁は前記端部壁の孔と連通するねじ付き孔を更に有していることを特徴とする請求項５０に記載の延長アーム。
【請求項５７】
前記中空シャフトと前記部分閉止ハウジングとを結合するように前記ねじ付き孔に挿入されたファスナを更に備えていることを特徴とする請求項５６に記載の延長アーム。
【請求項５８】
前記端部壁の孔はケーブルのプラグが嵌挿することができるように十分に大きく形成されていることを特徴とする請求項５０に記載の延長アーム。
【請求項５９】
装置を支持マウントに調整自在に取着する延長アームであって、
装置に取着するための第１の端部と第２の端部に配置された第２の端部のカップリングとを有する本体を備えたフォアアーム延長体を備え、前記第２の端部のカップリングには、前記第２の端部のカップリングと前記本体が前記ケーブルスロットを介して互いに連通するように、壁にケーブルスロットが形成され、更に、
支持マウントに取着された支持シャフトを含む第１の端部キャップと、 
ハウジング及び前記第２の端部のカップリングに回動自在に取着された中空シャフトを有する第２の端部キャップと、
前記第１の端部キャップに回動自在に取着されるように構成された第１の端部と前記第２の端部キャップに回動自在に取着されるように構成された第２の端部とを有する上部チャンネルと、
下部チャンネルであって、前記第１の端部キャップに回動自在に取着されるように構成された第１の端部と、前記第２の端部キャップに回動自在に取着されるように構成された第２の端部と、前記下部チャンネルの第１の端部に隣接した点から前記下部チャンネルの第２の端部へ前記下部チャンネルに沿って長手方向に延びて前記下部チャンネルの第２の端部に開口を形成するように内部に形成されたケーブルチャンネルとを有する下部チャンネルと、
第１の端部が前記上部チャンネルに取着されかつ第２の端部が前記第１の端部キャップに取着されたガスばねとを備え、該ガスばねは、前記上部チャンネル、前記下部チャンネル、前記第１の端部キャップ及び前記第２の端部キャップを平行四辺形の形状に保持していることを特徴とする延長アーム。
【請求項６０】
前記第２の端部キャップは、
部分閉止され、且つ、第１の端部壁、第２の端部壁及び少なくとも１つの側壁を有し、前記第１の端部壁は端部壁孔を有する前記ハウジングと、
シャフト孔が透通して形成された前記シャフトを備えたシャフト集成体であって、前記シャフト孔と前記端部壁孔とが整合して連続する孔を形成するように前記第１の端部壁に連結されているシャフト集成体とを
備えていることを特徴とする請求項５９に記載の延長アーム。
【請求項６１】
前記第１の端部壁は前記端部壁孔と連通するねじ付き孔を更に有していることを特徴とする請求項６０に記載の延長アーム。
【請求項６２】
前記シャフト集成体と前記部分閉止ハウジングとを結合するように前記ねじ付き孔に挿入されるファスナを更に備えていることを特徴とする請求項６１に記載の延長アーム。
【請求項６３】
前記端部壁孔はケーブルのプラグが嵌挿することができるように十分に大きく形成されていることを特徴とする請求項６０に記載の延長アーム。
【請求項６４】
前記少なくとも１つの側壁は半円形をなすとともに、前記第１の端部壁と前記第２の端部壁に連結していることを特徴とする請求項６０に記載の延長アーム。
【請求項６５】
前記シャフト集成体は互いに連結された前記中空シャフトを形成する２つの対称をなす端部キャップアダプタを有していることを特徴とする請求項６０に記載の延長アーム。
【請求項６６】
前記対称をなす端部キャップアダプタは半円形の横断面プロファイルを有していることを特徴とする請求項６５に記載の延長アーム。
【請求項６７】
前記中空シャフトは第１の直径を有する部分と、第１の直径よりも大きい第２の直径を有する部分とを含むことを特徴とする請求項６５に記載の延長アーム。
【請求項６８】
前記中空シャフトの第２の直径は、前記端部壁の直径とほぼ同じであることを特徴とする請求項６７に記載の延長アーム。
【請求項６９】
第２の直径を有する前記中空シャフトの前記部分は、前記端部壁孔に挿入されていることを特徴とする請求項６７に記載の延長アーム。
【請求項７０】
前記下部チャンネルは、 
本体と、 
該本体の第１の端部に配置された第１のローラと、 
前記本体の第２の端部に配置された第２のローラと、 
前記本体に形成された前記ケーブルチャンネルとを備え、前記ケーブルチャンネルは、前記下部チャンネルの第１の端部に近接した点から前記チャンネルの第２の端部へ前記下部チャンネルに沿って長手方向に延びて、前記第２のローラを横切るとともに前記下部チャンネルの第２の端部に開口を形成していることを特徴とする請求項５９に記載の延長アーム。
【請求項７１】
前記ケーブルチャンネルは、前記本体の長手方向の中心線に平行な２つの対向する縁部を有していることを特徴とする請求項７０に記載の延長アーム。
【請求項７２】
前記ケーブルチャンネルの一端が丸くされていることを特徴とする請求項７０に記載の延長アーム。
【請求項７３】
前記ケーブルチャンネルに取り外し自在に取着可能であるケーブルカバーを更に備えていることを特徴とする請求項７０に記載の延長アーム。
【請求項７４】
前記ローラの各々は、それぞれの軸線方向の中心線に位置する孔を有していることを特徴とする請求項７０に記載の延長アーム。
【請求項７５】
前記第２の端部カップリングには側壁に止めねじが形成されていることを特徴とする請求項５９に記載の延長アーム。
【請求項７６】
前記第２の端部のカップリングの内面には複数の溝が形成されていることを特徴とする請求項５９に記載の延長アーム。
【請求項７７】
前記本体の前記第１の端部は第１の端部カップリングであることを特徴とする請求項５９に記載の延長アーム。
【請求項７８】
前記第２の端部カップリングには側壁に止めねじが形成されていることを特徴とする請求項７７に記載の延長アーム。
【請求項７９】
前記第２の端部のカップリングの内面には複数の溝が形成されていることを特徴とする請求項７７に記載の延長アーム。
【請求項８０】
前記第１の端部カップリングの中心線と前記第２の端部カップリングの中心線は、前記本体の長手方向の中心線と整合されていることを特徴とする請求項７７に記載の延長アーム。
【請求項８１】
前記本体の下面は、前記第１の端部カップリングの下部縁部及び前記第２の端部カップリングの下部縁部と整合されていることを特徴とする請求項７７に記載の延長アーム。
【請求項８２】
前記本体は、前記第１の端部カップリングと前記第２の端部カップリングが各々の中心線が垂直になるように配置されるとき、前記第１及び第２の端部カップリング間に傾斜して配置されていることを特徴とする請求項７７に記載の延長アーム。
【請求項８３】
前記本体は、前記第１の端部カップリングと前記第２の端部カップリングが各々の中心線が垂直になるように配置されるとき、前記第１及び第２の端部カップリング間に水平に配置されていることを特徴とする請求項７７に記載の延長アーム。
【請求項８４】
前記本体はＵ字状であることを特徴とする請求項５９に記載の延長アーム。
【請求項８５】
前記Ｕ字状本体内部にケーブルホルダを更に備えていることを特徴とする請求項８４に記載の延長アーム。
【発明の詳細な説明】
【０００１】
（発明の分野）
本発明は、電子装置取り付け用のアーム装置、より特定すると、コンピュータのモニタまたはテレビのようなフラットスクリーン電子周辺装置を取着するのに適した延長アームに関する。
【０００２】
（発明の背景）
コンピュータのモニタまたはテレビのような電子周辺装置を取着する調整自在の延長アームは、先行技術において周知となっている。図１−７は、先行技術に係る周辺装置を取着するための延長アーム１０を示す。図１に示すように、延長アーム１０の主要素子は、第１の端部キャップ１２と、上部チャンネル１４と、下部チャンネル１６と、第２の端部キャップ１８と、フォアアーム延長体２０である。
【０００３】
第１の端部キャップ１２は、端部キャップシャフト２２を有していて、端部キャップシャフト２２は、端部キャップシャフト２２を受けることができるサイズに形成されたオリフィスまたは端部キャップシャフト２２の溝に係合することができる形状とサイズに形成されたトラックのような剛性のある支持マウント（図示せず）に回動自在に取着することができるようになっている。第１の端部キャップ１２は、ピン２４を介して上部チャンネル１４と下部チャンネル１６の双方に回動自在に結合されている。上部チャンネル１４と下部チャンネル１６の対向する端部は、ピン２４を介して第２の端部キャップ１８に回動自在に結合されている。第２の端部キャップ１８は、フォアアーム延長体２０にフォアアーム延長ピン９２を介して結合されている。フォアアーム延長体２０には、垂直方向に延びる孔２６が貫通して形成され、チルタ、プラットホームその他の装置のような装置マウント（図示せず）を受けるようになっている。
【０００４】
上部チャンネル１４及び下部チャンネル１６と、第１の端部キャップ１２及び第２の端部キャップ１８との組み合わせにより、フォアアーム延長体２０に結合された装置が所望の高さまで上下することを許容する調整自在の平行四辺形体が形成される。この平行四辺形体は、ガスばね２８を使用することによりその位置を保持し、ガスばねは、以下において更に説明するように、第１の端部キャップ１２と上部チャンネル１４に回動自在にかつ調整自在に取着されている。一般には、ガスばね２８は、ガスばねの設計抵抗を越える上下方向の力が第２の端部キャップ１８に作用するまで、所定の長さを有するようなサイズに形成されている。かくして、このガスばね２８により、平行四辺形体は、第２の端部キャップ２１８に作用する力が装置の重量であるときにその位置を保持することができるが、使用者がフォアアーム延長体２０に結合された装置を上下に押したときに調整することができるようにしている。
【０００５】
図２は、第１の端部キャップ１２の側面図であり、第１の端部キャップ１２には、端部キャップシャフト２２が第１の端部キャップ１２の第１の端部３０に配置されている。これら２つの部材を剛性連結させるために、端部キャップシャフト２２は、典型的には、鋼から機械加工され、第１の端部キャップ１２の注型(casting)処理の際に第１の端部３０に挿入される。端部キャップシャフト２２には、第１の端部キャップ１２に挿入される該端部キャップシャフト２２の端部に、孔３２が形成されている。第１の端部キャップ１２は、典型的には、注型アルミニウムから形成される。第１の端部キャップ１２はまた、孔３６が貫通して形成されている第２の端部３４を有している。第１の端部キャップ１２に配置されているのは、ねじが形勢されたロッド３８である。ねじ付きロッド３８の第１の端部４０は、端部キャップ２２の基部において孔３２に挿入されている。ねじ付きロッド３８の第２の端部４２は、孔３６と整合され、かつ、クリップ４４により所定の位置に保持される。クリップ４４は、第１の端部キャップ１２の内面に、ねじ４６により固定されている。
【０００６】
図３は、ねじ付きロッド３８に螺着されたクレビス４８の側面図である。クレビス４８は、図２に示すように、ねじ付きロッド３８を受けるように中央にねじ孔５０を有している。クレビス４８の第１の端部には、ガスばね２８の一端が固着される１対の固着部材５２及び５４が設けられている。クレビス４８の第２の端部５６は、第１の端部キャップ１２に一体的に成形されたトラック５８と摺動係合するように構成されている（図２参照）。ねじ付きロッド３８の第２の端部４２は、第２の端部４２が孔３６と適正に整合されたときに孔３６に挿通される六角キーが係合するように構成されている。六角キーは、ねじ付きロッド３８をその回転軸線に沿って回転させるように動作を行う。ねじ付きロッド３８が回転軸線に沿って回転されると、クレビス４８は、六角キーが回転する方向と対応する方向にねじ付きロッド３８の長手方向に沿って動く。クレビス４８のこのような動きにより、ガスばね２８を調整することができる。
【０００７】
図４Ａ及び４Ｂには、上部チャンネル１４を示し、上部チャンネル１４は、チャンネル底部６０を備え、チャンネル底部６０からチャンネルの２つの側壁６２が延びている。チャンネルの底部６０と側壁６２は、典型的には、上部チャンネル１４に所望の構造上の剛性を付与するように１３ゲージの鋼板から打抜きにより形成される。チャンネル底部６０の各端部には、側壁６２の半円形領域が切り出され、冷間圧延された鋼ローラ６６を収容するようになっていて、鋼ローラ６６には、ピン２４を受ける孔６８が貫通して形成されている。ローラ６６は、半円形の切欠き領域の縁部に沿って、かつ、チャンネル底部６０の端部に沿って、ＭＩＧ溶接により上部チャンネル１４に堅固に取着されている。
【０００８】
更に、上部チャンネル１４は、スティフナ７０を備えていて、スティフナ７０は、チャンネル底部６０の内面に溶接されている。スティフナ７０は、上部チャンネル１４に更なる構造上の剛性を提供するとともに、孔が一端に配設され、ねじ付きボールスタッド７２が孔内に配置され、ナット７４により所定の位置に固定されている。ボールスタッド７２は、ガスばね２８の一端を受けるような形状とサイズに形成されている。上部チャンネル１４の長手方向の中心線７６が、図４Ｂに示されている。
【０００９】
図５Ａ及び５Ｂには、チャンネル底部７８を有する下部チャンネル１６が示されていて、チャンネル底部７８からは、２つのチャンネル側壁８０が延びている。上部チャンネル１４と同様に、チャンネル底部７８と側壁８０は、典型的には、底部チャンネル１６の所望の構造上の剛性を提供するように、比較的重量のある１３ゲージの鋼板から打抜きにより形成される。チャンネル底部７８の両端部には、側壁８０の半円形領域８２が切り抜かれ、冷間圧延された鋼ローラ８４を収容するようになっている。鋼ローラ８４には、ピン２４を受ける孔８６が貫通して形成されている。ローラ８４は、半円形の切欠き領域８２の縁部に沿って、かつ、チャンネル底部７８の端部に沿って、ＭＩＧ溶接により下部チャンネル１６に堅固に取着されている。下部チャンネル１６の長手方向の中心線８８が、図５Ｂに示されている。
【００１０】
図６は、第２の端部キャップ１８が示されている。第２の端部キャップ１８は、第１の端部キャップ１２とは異なり、端部キャップシャフトと、ガスばね２８に取着するクレビス集成体は設けられていない。その代わりに、第２の端部キャップ１８には、図１に示すように、フォアアーム延長ピン９２を受けるように底端部に配設された孔９０と、フォアアーム延長ピン９２にピン９６を挿入するように側部に形成された孔９４とを有している。
【００１１】
図７には、フォアアーム延長ピン９２が溶接されたフォアアーム延長体２０が示されている。フォアアーム延長ピン９２には、上端部に、ピン９６を受けるように孔９８が形成されている。フォアアーム延長体２０は、フォアアーム延長ピン９２を中心に回動するように構成されているとともに、第２の端部キャップ１８の孔９４とフォアアーム延長ピン９２の孔９６を透通するピン９６により、第２の端部キャップ１８内の所定の位置に保持されている。
【００１２】
フラットスクリーン技術の最近の進歩により、フラットスクリーンコンピュータモニタ及びテレビのようなフラットスクリーン装置とともに使用するのに特に適した、調整自在の延長アームが待望されている。図１−７に示す延長アームなどのような先行技術の延長アーム１０は、嵩張るとともに、厄介であるので、フラットスクリーンモニタ及びテレビには適していない。更に、種々の構成部材の構造により、先行技術の延長アーム１０は、フラットスクリーン装置が取り付け面と略面一となったときに、延長アーム１０全体がフラットスクリーン装置の背後に隠れるように、取り付け面に対して平坦となることができない。更にまた、先行技術の延長アーム１０は、ケーブルが装置に対して実質上隠れ、従って、延長アーム１０自身の中で保護されるようには構成されていない。更に、先行技術の延長アーム１０は、製造コストが高く、かつ、組み立てるのが困難となっている。
【００１３】
かくして、フラットスクリーン電子周辺装置を取り付けるのに適した、製造と組立が安価でかつ容易であるとともに、フラットスクリーン装置を取り付け面と略面一に取着することができる延長アームが待望されている。更にまた、フラットスクリーン装置に対するケーブルを内部に見えないように実質上隠すことにより素子から保護することができる延長アームが待望されている。
【００１４】
（発明の概要）
本発明は、一の実施の形態によれば、コンピュータモニタまたはテレビのようなフラットスクリーン電子周辺装置(flat-screen electronic peripheral device)を取り付けるのに適した延長アーム(extension arm)に関する。本発明の延長アームは、製造及び組立即ち集成が安価にかつ容易に行うことができるとともに、フラットスクリーン装置を取り付け面と略面一に取着することができる。延長アームは、第１及び第２の端部キャップと、上部及び下部チャンネルと、フォアアーム延長体(forearm extension)とを備えている。
【００１５】
各端部キャップは、本体とシャフトとを有している。第１の端部キャップのシャフトは、壁、ディスクまたはポールマウントのような支持マウント(support mount)に回動自在に回転することができるようになっている。第２の端部キャップのシャフトは、フォアアーム延長体と回転自在に結合されている。上部チャンネルと下部チャンネルはそれぞれ、ローラが両端に一体注型されている(integrallyc ast)。ローラは、それぞれの端部キャップに回動自在に取着されている。上部及び下部チャンネルと、端部キャップは、調整自在の平行四辺形体(parallelogram)を形成している。平行四辺形体の形状は、ガスばね(gas spring)により保持される。ガスばねの第１の端部は、上部チャンネルに取着されたボールスタッド(ball stud)に取着されている。ガスばねの第２の端部は、第１の端部キャップに調整自在に取着されている。
【００１６】
フォアアーム延長体は、チルタ(tilter)、フラットスクリーン装置を支持するプラットホームその他の手段のような装置マウントに回転自在に結合するために一端に配置された第１のカップリングを有するＵ字状チャンネルである。フォアアーム延長体には、他端に、第２の端部キャップのシャフトに回転自在に結合するように第２のカップリングが配設されている。
【００１７】
第１の端部キャップはまた、ガスばねの第２の端部に回動自在に取着されたクレビスと、クレビスに螺合するねじ付きロッドとを有していて、ロッドがその軸線方向の中心線を中心に回転するときに、クレビスが第１の端部キャップ内を摺動するようになっている。ねじ付きロッドは、保持クリップと１対のねじとにより第１の端部キャップ内に回転自在に取り付けられている。
【００１８】
本発明は、別の実施の形態によれば、ケーブルを、延長アーム内に配置することにより、視界から実質上隠すことができるように構成されている。ケーブルは、底部チャンネル、第２の端部キャップ及びフォアアーム延長体内に配置される。下部チャンネルには、下面に、ケーブルを下部チャンネル内に挿入することができるようにケーブルチャンネルが形成されている。ケーブルは、ケーブルチャンネルと係合するケーブルカバーにより、下部チャンネル内の所定の位置に保持される。第２の端部キャップは、中空のシャフトを有していて、ケーブルが該シャフトを介してフォアアーム延長体に供給されるようにしている。フォアアーム延長体の第２のカップリングは、内部壁に孔を有していて、ケーブルが該孔を介してＵ字状チャンネルに配置することができるようにしている。ケーブルは、ケーブルクリップにより、Ｕ字状チャンネル内に配置される。
【００１９】
（好ましい実施の形態の詳細な説明）
以下、本発明の実施の形態を添付図面に関して説明する。
図面に示す本発明の好ましい実施の形態の説明においては、説明を簡潔にするために特定の語が使用されている。しかしながら、本発明は、このように選定された特定の語に限定されるものではなく、各特定の語は、同様の目的を達成するように同様の態様で動作を行う全ての技術的均等物を含むものである。
【００２０】
図面、特に、図８乃至２２について説明すると、本発明の装置が記載されている。延長アームの実施の形態は、コンピュータのモニタまたはテレビのようなフラットスクリーン電子周辺装置を取着するのに適していて、安価にかつ容易に製造しかつ組み立てることができるとともに、フラットスクリーン装置を取り付け面と略面一に取り付けることができるように構成されている。別の実施の形態は、フラットスクリーン電子周辺装置に対するケーブルを延長アーム内に配置して、ケーブルを視界から実質上隠すことができるように構成されている。
【００２１】
図８は、本発明の一の実施の形態に係る延長アーム１００の分解図である。延長アーム１００は、第１の端部キャップ１０２と、上部チャンネル１０４と、下部チャンネル１０６と、第２の端部キャップ１０８と、フォアアーム延長体１１０とを備えている。
【００２２】
図９Ａ及び９Ｂには、本発明の一の実施の形態に係る第１の端部キャップ１０２と、第２の端部キャップ１０８とが示されている。図示の実施の形態においては、第１及び第２の端部キャップ１０２及び１０８は、側壁１５０により固定して連結されたフラットな対向して配置された端部壁１４６及び１４８を有する部分閉止されたハウジング１１２を有している。側壁１５０は、構成部材を操作して第１の端部キャップ１０２内で組み立てることができるように、部分閉止(partially-enclosed)ハウジング１１２の周囲を部分的に延びている。一の実施の形態においては、端部壁１４６と１４８は、半円形の形状をなしていて、半円形縁部に沿って側壁１５０に連結されている。側壁１５０は、端部壁間を直交して延びている。
【００２３】
図１０Ａには、端部壁１４８に配置されたシャフト１１４を有する第１の端部キャップ１０２と第２の端部キャップ１０８が示されている。シャフト１１４は、第１の端部キャップ１０２と第２の端部キャップ１０８の端部壁１４８に対して一体的に成形されるのが好ましい。好ましくは、第１の端部キャップ１０２と第２の端部キャップ１０８の全体（部分閉止ハウジング１１２とシャフト１１４）が、亜鉛のような材料から、例えば注型(cast molding)により成形される。シャフト１１４は、連動成形技術(interlocking mold technology)を使用することにより、端部キャップ１０２及び１０８と一体的に成形される。連動成形によれば、シャフトを真円とするのに必要とされる機械加工を極力なくして、ほぼ完全な成形を行うことができる。シャフト１１４に対して行う必要がある機械加工の量を最小にすることにより、連動成形によって、注型品の表皮(skin)に主としてある注型品の強度を最大とすることができる。
【００２４】
かくして、各端部キャップ１０２及び１０８の製造コストを有意に低減させることができる。即ち、先行技術における鋼シャフト２２のコストを低減させることができるとともに、鋼シャフト２２を機械加工し、次いで、鋼シャフト２２をアルミニウム注型品に挿入することを必要とする先行技術の製造を簡素化することができる。更に、亜鉛注型端部キャップ１０２及び１０８の好ましい実施の形態（本発明はかかる実施の形態に限定されないが）は、亜鉛はアルミニウムよりも強力で可撓性があるので、先行技術において使用されているアルミニウムの端部キャップ１２及び１８を改良することができる。
【００２５】
端部壁１４６には、孔１５２が貫通して配設されている。部分閉止ハウジング１１２内には、ストッパ１５６が、側壁１５０に一体成形されており、ストッパ１５６は、端部壁１４６、１４８にそれぞれ近接して配置されている。更に、トラフ壁１５８が端部壁１４６と１４８との間を側壁１５０の内面に沿って長手方向に延びるように配設されていて、トラフ壁間にトラフ１６０を画成している。更にまた、棚１６２が側壁１４８に隣接して配設されている。
【００２６】
ストッパ１５６は、延長アーム１００が延長された状態にある場合に上部チャンネル１０４と下部チャンネル１０６の端部が、それぞれ、ストッパ１５６に遭遇したときに、延長アーム１００の上下動を停止させるように作用する。トラフ壁１５８間に配設されたトラフ１６０により、クレビス(clevis)１２０が、以下においてより詳細に説明するように、トラフ内で動くことができるようになっている。図１０Ｂには、溝１６４により分離された共面をなす面を画成する上記棚１６２が示されている。棚１６２には、タッピンねじ孔１５４のような連結手段が内部に配設されている。棚１６２の共面をなす面は、保持ピン１２６と係合するように形成され、保持ピン１２６は、例えば、１対のねじ１２８により所定の位置に固定される。保持クリップ１２６が所定の位置に固着されると、溝１６４は、以下においてより詳細に説明するように、ねじ付きロッド１２４の一端を受けるスペースを画成する。
【００２７】
第１の端部キャップ１０２と第２の端部キャップ１０８は、この点において同様に構成されている。即ち、互いに異なる先行技術の端部キャップ１２及び１８とは異なり、本発明における端部キャップ１０２及び１０８は、同じ態様で製造することができるという利点を有している。かくして、２つの異なる種類の端部キャップを製造する場合に要するコストをなくすことができる。
【００２８】
ねじ付きロッド１２４とクレビス１２０は、ここで、第１の端部キャップ１０２のみにおいて加工集成される。ねじ付きロッド１２４は、クレビス１２０を調整自在に支持するように第１の端部キャップ１０２内で操作される。図９Ｃには、円形の横断面を有する第１の端部１６６を有するねじ付きロッド１２４が示されていて、内部には、例えば六角(hex-shaped)開口のような付形(shaped)開口１６８が軸線方向に配設され、六角キーのような付形キー（図示せず）を受けるようになっている。第１の端部１６６の横断面の直径は、孔１５２に挿入されるように、孔１５２の横断面の直径よりも小さいのが有利である。第１の端部１６６に隣接して、肩部１７０が設けられている。肩部１７０は、孔１５２の横断面の直径よりも大きい直径を有する円形横断面を有するのが有利である。かくして、好ましい実施の形態においては、肩部１７０は、端部壁１４６の内面に当接し、孔１５２内に第１の端部１６６を保持する。
【００２９】
ねじ付きロッド１２４はまた、クレビス１２０と螺合するように形成されたねじ部１７２を有している。ねじ付きロッド１２４の第２の端部１７４は、第１の端部キャップ１０２の棚１６２間に画成された溝１６４内に配置されている。好ましくは、ねじ付きロッド１２４の第２の端部１７４は、該第２の端部１７４が棚１６２間に支持されるが回転自在となるように、溝１６４のサイズよりも小さい直径を有する円形横断面を有している。
【００３０】
上記したように、ロッド１２４には、クレビス１２０が螺着されている。クレビス１２０には、図９Ｄに示すように、ねじ付きロッド１２４を受けるようにねじ孔(tapped jole)１７６が内部に形成されている。クレビス１２０には更に、１対の取り付け部材１７８が第１の端部に設けられていて、取り付け部材には、ガスばね(gas spring)１２２の第１の端部が取り付けられている。クレビス１２０の第２の端部は、トラフ１６０と摺動係合するように構成されている。
【００３１】
ねじ付きロッド１２４の第１の端部１６６に付形キーが係合すると、付形キーは、ねじ付きロッド１２４を軸線方向の中心線を中心に回転させるように作用する。ねじ付きロッド１２が、回転軸線を中心に回転すると、クレビス１２０は、付形キーが回転する方向に対応する方向へねじ付きロッド１２４の長手方向に沿って動く。クレビス１２０のこの動きにより、ガスばね１２２を調整することができる。第１の端部キャップ１０２及び第２の端部キャップ１０８の部分閉止ハウジング１１２には、例えば、ピン１１８のような連結機構を受けるように孔１１６が形成されている。第１の端部キャップ１０２のシャフト１１４は、壁マウント、デスクマウント、ポールマウントまたは形成自在のマウントとすることができる支持マウント（図示せず）において回動自在に回転可能に挿入されるように構成されている。第２の端部キャップ１０８のシャフト１１４は、以下において一層詳細に説明するように、フォアアーム延長体１１０内で回動自在に回転可能に挿入されるように構成されている。
【００３２】
本発明の第１の端部キャップ１０２は、例えば、ねじ付きロッド１２４を第１の端部キャップ１０２に回転自在に取着するのに要する組立時間を大幅に短くすることができるので、先行技術の第１の端部キャップ１２などと比べて有利である。本発明のねじ付きロッド１２４を組み立てる即ち集成するためには、第１の端部１６６を、肩部１６８が端部壁１４６の内面に当接するまで、孔１５２に挿入する。次に、ねじ付きロッド１２４の第２の端部１７４を棚１６２間の溝１６４に位置決めする。第２の端部１７４を、例えば、ねじ付きロッド１２４の上方で近接させることにより容易にアクセスすることができるねじ１２８により、所定の位置に取着される保持クリップ１２６に所定の位置に保持される。ねじ付きロッド１２４の第１の端部１６６は、孔１５２と完全に整合され、孔内で回転するように挿入されるので整合状態に保持される。
【００３３】
これに対して、先行技術においては、第１の端部キャップ１２におけるねじ付きロッド３８の組立は、より複雑であり、従って、よりコストがかかる。例えば、第１の端部４０は、端部キャップシャフト２２のベースの孔３２内に挿入される。次に、クレビス４８は、ねじ付きロッド３８に取着され、次いで、第２の端部４２が、クリップ４４により第１の端部キャップ１２の内側に取着される。クリップ４４はまた、第２の端部を孔３６に対して整合させるようにも作用する。かくして、クリップ４４は、第２の端部４２が孔３６に対して整合されて、孔３６内に挿入される六角キーが第２の端部４２に係合することができるように、第１の端部キャップ１２の内側に精確に取り付けられなければならない。更にまた、締結クリップ４４を第１の端部キャップ１２の内側に取り付けるように作用するねじ４６は、ねじ付きロッド３８の下方に位置するのでアクセスするのが困難であり、従って、第２の端部４２を孔３６と整合させる操作が複雑となる。更に、クリップ４４を第１の端部キャップ１２の内側に取り付ける作業は、クレビス４８がガスばね２８に既に取り付けられているので、一層困難となる。
【００３４】
更に、本発明は、先行技術とは異なり、第２の端部キャップ１８をフォアアーム延長体２０に連結するのに、フォアアームピン９２を必要とすることがない。更にまた、第２の端部キャップ１８内にフォアアーム延長ピン９２を保持するのに、ピン９６は必要とされない。かかる構成に代えて、本発明においては、第２の端部キャップ１０８をフォアアーム延長体１１０に連結するのに、第２の端部キャップ１０８のシャフト１１４を使用している。かくして、本発明においては、フォアアーム延長ピン９２またはピン９６を製造する必要がなく、かつ、第２の端部キャップ１８内に孔９４を形成し、あるいはフォアアーム延長ピン９２内に孔９８を形成してピンを受ける９６ことがないので、製造コストを低減させることができる。
【００３５】
図１０Ａ乃至１０Ｆにはそれぞれ、本発明の一の実施の形態に係る上部チャンネル１０４が示されている。上部チャンネル１０４は、Ｕ字状本体１３０と、Ｕ字状本体１３０の両端部に配置された一体注型ローラ１３２とを有している。Ｕ字状本体１３０は、チャンネル底部１８０を備え、該チャンネル底部１８０から、２つのチャンネル側壁１８２が延びている。上部チャンネル１０４のチャンネル底部１８０、側壁１８２及びローラ１３２は、亜鉛のような材料から一体注型するのが好ましく、かかる亜鉛のような材料は、圧肉の鋼から打抜きにより形成されている先行技術の上部チャンネル１４と比べて、上部チャンネル１０４の重量をより小さくし、上部チャンネル１０４にある程度の構造上の剛性を付与するとともに、より軽量のフラットスクリーン装置に一層適している。ローラ１３２には、ピン１１８のような連結機構を受ける孔１８４が（注型によりまたはその後の穿孔により）貫通して形成されている。更に、上部チャンネル１０４は、ボールスタッド１３８のねじ付き端部を受ける形状及びサイズに形成されたねじ付き孔(threaded hole)１８６を備えている。ねじ付き孔１８６もまた、一体注型される。ボールスタッド１３８は、ガスばね１２２の第２の端部を受ける形状及びサイズに形成されている。
【００３６】
先行技術の上部チャンネル１４においては、Ｕ字状チャンネルは、鋼片を加熱しかつこの鋼片を曲げてチャンネル底部６０と側壁６２を形成することにより得られるが、本発明の上部チャンネル１０４は、かかる先行技術の上部チャンネル１４とは異なり、注型により形成される。注型とすることにより、チャンネル底部１８０と側壁１８２との角度は、常に、完全に同じにすることができる。更にまた、注型によれば、側壁１８２にテーパを付与することができる。図１０Ｃ及び１０Ｄに示すように、側壁１８２の外面と内面のいずれにも、例えば、約１度のテーパを付すことができる。当然であるが、テーパは１度に限定されるものではなく、また、内面と外面のテーパは同じである必要もない。
【００３７】
このようにテーパを形成することにより、上部チャンネル１０４と下部チャンネル１０６が使用の際に一緒になったときに、上部チャンネル１０４と下部チャンネル１０６との間により大きなクリアランスを提供することができるなどの幾つかの利点を得ることができる。即ち、側壁１８２の内面が１度変位すると、下部チャンネル１０６が嵌合することができるクリアランスを更に得ることができることを意味する。このように更なるクリアランスを提供することにより、上部チャンネル１０４と下部チャンネル１０６がともにこすれるのを防止し易くすることができる。かくして、上部チャンネル１０４及び下部チャンネル１０６を保護する塗料その他のコーティングの損傷を、なくすことができない場合でも、一層少なくすることができる。更に、側壁１８２の外縁部に必要とされる材料を少なくすることができる。更にまた、テーパは、ユーザの目に、より一層の審美感を与えることができる。
【００３８】
好ましい実施の形態においては、図１０Ｅ及び１０Ｆに示すように、チャンネル底部１８０は、上部チャンネル１０４の強度と剛性を高めるように対角材(cross bracing)を有している。対角材は、中央リブ９００と対角リブ９０２とを有することができる。対角材により、上部チャンネル１０４の剛性は、対角材のない上部チャンネル１０４と比べて、約１．６倍高まる。
【００３９】
上部チャンネル１０４は、先行技術の上部チャンネル１４などと比べて数多くの製造上の利点を有する。例えば、図４Ａ及び４Ｂに示す先行技術の上部チャンネル１４においては、ローラ６６を上部チャンネル１４に取着するのに必要とされる溶接は、実施するのが困難である。ローラ６６の軸線方向の中心線は、互いに略完全に平行としなければならないとともに、チャンネル底部６０の長手方向の中心線７６に対してほぼ完全に直交していなければならない。これらの角度のトレランスは、平行四辺形体が調整されるときに下部チャンネル１６が上部チャンネル１４と確実に係合することができるように、著しく小さくなっている。ローラ６６が上部チャンネル１４に溶接される場合には、かかるトレランスを満たすことは著しく困難である。これに対して、本発明の上部チャンネル１０４のローラ１３２は、一体的に注型されるので、ローラ１３２の軸線方向の中心線は、互いに完全に平行となると同時に、チャンネル底部１８０の長手方向の中心線１８８と完全に直交するようになる。
【００４０】
更に、先行技術においては、図４Ａ及び４Ｂに関して上記したように、上部チャンネル１４に使用する鋼の硬度により、ローラ６６は、上部チャンネル１４に溶接しなければならず、そのためには、ローラ６６を高価な冷間圧延鋼から形成することが必要となる。ローラ６６の製造者は、鉛合金のような一層安価な材料を使用することが考えられるが、かかる安価な材料は、鋼からなる上部チャンネル１４に接合するときに、安全、かつ、ばらつきのない溶接を提供することができない。多くの場合、鉛合金が適していないことを確認するためにローラ材料に関して試験を行わなければならない。これに対して、本発明の上部チャンネル１０４は、溶接を必要としないので、ローラを整合させるコスト、溶接を行うコスト及びローラが溶接に適した材料かどうかを確認するためにローラを試験するコストを省くことができる。
【００４１】
先行技術における、ローラ６６を上部チャンネル１４に溶接する場合の別の問題として、ローラを上部チャンネル１４に溶接することにより発生する熱による上部チャンネルのねじ曲がりあるいは変形の問題がある。かかる曲がりあるいは変形が生ずると、ローラ相互間の整合が損なわれるので、上部チャンネル１４は無駄になって、廃棄しなければならなくなる。本発明においては、上部チャンネル１０４の製造の際には溶接は何ら必要としないので、上部チャンネル１０４が熱変形するおそれをなくすことができるとともに、材料の無駄をなくすことができる。
【００４２】
上記のように、先行技術の上部チャンネル１４は、鋼から形成されているが、これは、上部チャンネル１４においては、鋼片を加熱し、次いで、鋼片を曲げ加工に供してチャンネル底部６０と側壁６２とを形成することを意味する。かくして、側壁６２がチャンネル底部６０から９０°の角度で上方へ延びるように形成するためには、精密製造が必要となる。角度がわずかでもずれると、上部チャンネル１４と下部チャンネル１６は互いにこすれ合うようになる。これに対して、本発明においては、注型が行われるので、チャンネル底部１８０と側壁１８２との角度は、常に正しく同じとなる。かくして、チャンネルがこすれる可能性は、なくならないまでも、著しく減らすことができる。
【００４３】
更に、上部チャンネル１０４は、図４Ａ及び４Ｂに関して説明したような、先行技術の上部チャンネル１４におけるチャンネル底部６０の内面に溶接されるスティフナ７０を配設する必要性をなくすことができる。先行技術の上部チャンネル１４とは異なり、本発明の上部チャンネル１０４は、スティフナ７０により提供される更なる構造上の剛性を必要とはしない。スティフナ７０をなくすことにより、本発明の上部チャンネル１０４はまた、先行技術の上部チャンネル１４により必要とされるスティフナ７０をチャンネル底部６０に溶接する工程を省くことができる。
【００４４】
更にまた、本発明の上部チャンネル１０４においては、ねじ付き孔１８６を一体的に注型することにより、更なる組立工程即ち集成工程を省くことができる。例えば、先行技術の上部チャンネル１４は、ねじ付きボールスタッド７２がスティフナ７０に配設された孔を透通するとともに、ナット７４により所定の位置に固着される。ボールスタッド７２を配置するためには、ボールスタッド７２のねじ付き端部をスティフナ７０の孔に挿通するとともに、スティフナ７０を所定の位置に溶接する前にナット７４により所定の位置に固定する必要がある。本発明の上部チャンネル１０４は、このような組立を必要としない。
【００４５】
先行技術の上部チャンネル１４が遭遇する別の問題として、上部チャンネルに塗装その他のコーティングを行う場合に、ピン２８を受けるローラ６６の孔６８のような開口をマスクする即ち隠蔽することが必要となるという問題がある。即ち、マスク材料を開口に入れ、次いで、塗料を被着してからマスク材料を除去するのに、労力が必要となる。これに対して、本発明の一の実施の形態においては、開口は、塗料その他のコーティングを被着してから、精密穿孔に供されるので、開口をマスクする費用を省くことができる。
【００４６】
図１１Ａ乃至１１Ｅにはそれぞれ、本発明の一の実施の形態に係る下部チャンネル１０６が示されている。下部チャンネル１０６のＵ字状本体１３４は、チャンネル底部１９０を備え、チャンネル底部１９０からは、２つのチャンネル側壁１９２が延びている。厚肉の鋼から打抜きにより形成される図５Ａ及び５Ｂに示す先行技術の延長アームの下部チャンネル１６とは異なり、本発明の延長アームにおける下部チャンネル１０６のチャンネル底部１９０及び側壁１９２は、亜鉛から一体的に注型するのが好ましく、これにより、厚肉の鋼と比べて下部チャンネル１０６を一層軽量にし、下部チャンネルに構造上の剛性を提供するとともに、下部チャンネルをより軽量のフラットスクリーン装置に一層適したものとすることができる。チャンネル底部１８０の各端部には、ローラ１３６が設けられていて、このローラも一体注型されている。ローラ１３６には、ピン１１８のような連結機構を受ける孔１９４が（注型またはその後の穿孔により）貫通して形成されている。チャンネル底部１９０は、長手方向に延びるケーブルチャンネル孔１９６を更に有していてもよい。図示の実施の形態においては、ケーブルチャンネル孔１９６は、端部が丸くされ、これにより、下部チャンネル１０６の剛性を改善することができる。ケーブルチャンネル孔１９６は、（図１１Ｅに示す）ケーブルカバー１９８を受けるように形成されている。ケーブルカバー１９８は、ケーブルチャンネル孔１９６内に取り外し自在に装着するように構成されている。かくして、取着される装置のケーブルは、視界から隠されるとともに、損傷を受けないように、下部チャンネル１０６内に実質上保持される。ケーブルチャンネル孔１９６とケーブルカバー１９８により、所望によりケーブルにアクセスすることができるとともに、ケーブルを下部チャンネル１０６内に取着することができる。
【００４７】
下部チャンネル１０６は、先行技術の下部チャンネル１６などに比べて、数多くの製造上の利点を有している。例えば、上部チャンネル１０４に関して上記したのと同様に、本発明の下部チャンネル１０６のローラ１３６もまた、ローラ１３６の軸線方向の中心線が互いに完全に平行をなすとともに、ローラ１３６の軸線方向の中心線が、チャンネル底部１９０の長手方向の中心線２００と完全に直交するように一体注型される。かくして、本発明においては、先行技術における、ローラ８４を下部チャンネル１６に溶接する前にローラ８４を正確に整合させる必要性をなくすことができる。
【００４８】
更にまた、上部チャンネル１０４に関して上記したのと同様に、下部チャンネル１０６のローラ１３６は、一体注型されるので、溶接は必要としない。従って、溶接を行うコスト及びローラが適宜の溶接材料であるかどうかを定めるためにローラを試験するコストを省くことができる。ローラ１３６を下部チャンネル１０６に溶接する必要性をなくすことにより、底部チャンネル１０６の熱変形の可能性を少なくして、材料の無駄をなくすことができるという更なる利点を得ることができる。
【００４９】
下部チャンネル１０６の横断面図である図１１Ｃ及び１１Ｄに示すように、下部チャンネル１０６の側壁１９２には、テーパが付されている。これらの図に示すように、側壁１９２の外面は、約１／２度のテーパが付されているとともに、内面には約１度のテーパが付されている。当業者であれば理解することができるように、テーパは上記した例には限定されない。下部チャンネル１０６は、好ましい実施の形態においては、注型されるので、かかるテーパが可能となる。上部チャンネル１０４に関して上記したのと同様に、かかるテーパにより、上部チャンネル１０４と下部チャンネル１０６との間に一層のクリアランスを提供して、上部チャンネル１０４と下部チャンネル１０６がこすれる可能性を少なくし、あるいはなくすことができる。更にまた、側壁１９２の外縁部に必要となる材料を少なくすることができる。
【００５０】
更に別の利点として、上部チャンネル１０４に関して上記したのと同様に、一の実施の形態においては、ローラ１３６内の孔１９４は、塗料その他のコーティングの被着の後に精密穿孔されるので、開口をマスクする費用を省くことができる。
【００５１】
一の実施の形態においては、図１１Ｅに示すように、ケーブルカバー１９８は、上部カバー２０２を有していて、２つの側壁２０４が上部カバーから突出している。各側壁の離隔した端部には、キャッチ(catch)２０６が形成されていて、ケーブルチャンネル孔１９６と係合するようになっている。当業者であれば理解することができるように、ケーブルカバー１９８及びケーブルチャンネル孔とを取り外し自在に取着するのに数多くの他の方法を利用することができるが、これらの方法は、本発明の範囲に含まれるものである。
【００５２】
図１２Ａ、１２Ｂ、１３Ａ及び１３Ｂについて説明すると、フォアアーム延長体１１０は、本体１４０を備え、本体はケーブルが内部に隠れることができるようにＵ字状であるのが好ましく、本体の各端部には雌型カップリング１４２と１４４が配設されている。Ｕ字状本体１４０は、上壁２０７と２つの側壁２０８を有している。雌型カップリング１４２は、第２の端部キャップ１０８のシャフト１１４と回転自在に係合することができるサイズの内径２０９を有している。図８に示すように、フォアアーム延長体１１０とシャフト１１４は、ねじ２１１を、カップリングトップ２１３を介してシャフト１１４の孔２１５（図９Ａ）に結合することにより互いに堅固に取着される。
【００５３】
ブッシュ２１０（図８）を使用して、雌型カップリング１４２とシャフト１１４とを係合させるのが好ましい。即ち、ブッシュ２１０は、シャフト１１４上に、かつ、雌型カップリング１４２内に配置される。ブッシュ２１０は、摩擦を少なくするとともに金属対金属の接触を防止するように、プラスチックのような滑らかな材料から形成するのが好ましい。雌型カップリング１４２は、雌型カップリング１４２の壁２１４内に形成された止めねじ２１２を有するのが好ましい。止めねじ２１２は、第２の端部キャップ１０８のシャフト１１４の、実質上、隆起部(ridge)２１６（図９Ａ参照）の位置においてブッシュ２１０に押圧するように整合される。止めねじ２１２が締め付けられると、止めねじにより、ブッシュ２１０は内方に撓むとともに、シャフト１１４と摩擦係合して、フォアアーム延長体１１０がシャフト１１４を中心に回転するのを防止する。
【００５４】
雌型カップリング１４２には、複数の空所２１７が壁２１４に形成されるのが有利であり、これにより材料費を節約することができるとともに、注型が行われたときに、フォアアーム延長体１１０を一層迅速に冷却させることができる。より素早く冷却することにより、生産量を高めることができる。
【００５５】
雌型カップリング１４４は、フラットスクリーンを取り付けるのに使用するチルタ、プラットホームその他の装置のような装置マウントのシャフトと回転自在に係合するサイズの内径２１８を有している。プラスチックのような滑らかな材料からつくるのが好ましいブッシュ２２０（図８）が、シャフト１１４上でかつ雌型カップリング１４４内に配置される。雌型カップリング１４４には、雌型カップリング１４４の壁２２４内に、止めねじ２２２が形成されるのが好ましい。止めねじ２２２が締め付けられると、止めねじにより、ブッシュ２２０は内方へ撓むとともに、シャフトと摩擦係合して、装置マウントが雌型カップリング１４４を中心に回転するのを阻止することができる。雌型カップリング１４４にもまた、複数の空所２２６が壁２２４に形成されるのが有利である。
【００５６】
図１２Ａ及び１２Ｂには、フォアアーム延長体１１０の一の実施の形態が示されていて、この実施の形態においては、雌型カップリング１４２及び１４４の中心は、本体１４０の長手方向の軸線２２８と整合されている。図１２Ｂに示すように、雌型カップリング１４２及び１４４の軸線方向の中心線が垂直に配置されると、本体１４０は、図１２Ｂに詳細に示されるように、１５度のような適宜の角度傾斜される。しかしながら、傾斜角度は、１５度に限定されず、本実施の形態においては全く傾斜させなくてもよい。
【００５７】
図１３Ａ及び１３Ｂには、フォアアーム延長体１１０の別の実施の形態が示されている。この実施の形態においては、雌型カップリング１４２及び１４４の中心は、本体１４０の軸線方向の中心線２２８とは整合していない。その代わりに、本体１４０は、雌型カップリング１４２の上縁部と面一となっていて、雌型カップリング１４２の中心は、雌型カップリング１４４の中心から変位している。図１３Ｂに示すように、雌型カップリング１４２及び１４４の軸線方向の中心線が垂直に配置されると、本体１４０は、雌型カップリング間に水平に配置される。しかしながら、本体１４０の配置は水平方向に限定されるものではなく、本実施の形態においては本体を傾斜して配置させることができる。
【００５８】
本発明は、製造及び組立を改良することができるほかに、先行技術においては得ることができない機能上の相互互換性を提供することができる。例えば、幾つかのフォアアーム延長体１１０及び／または延長アーム１００を、端部どうしで連結して、更に長く延長させることができ、あるいは更なる調整自在性を提供することができる。
【００５９】
フラットスクリーン装置は、かかる装置が占めるスペースの大きさを最小にすると同時に、目に審美感を与えるという二重の目的を達成するものである。かくして、フラットスクリーン装置の延長アームは、装置の取り付け面に対して実質上フラットに取着することができるとともに、延長アームを装置の背後に隠すことができることが所望される。本発明は、壁に取着されるフラットスクリーン装置を壁に対してフラットにすることができるとともに、延長アーム１００を装置の陰に隠すことができる。
【００６０】
先行技術の延長アーム１０は、かかる機能を達成することはできない。図１について説明すると、壁が図１の面によって画成されるとすると、孔２６に挿入された装置は、上部チャンネル１４及び下部チャンネル１６と、フォアアーム延長体２０とが壁に対して面一になったときに、壁に対して実質上平坦になることができる。典型的には、約１５インチの幅のフラットスクリーンのコンピュータモニタは、フォアアーム延長体２０を視界から隠すが、第１の端部キャップ１２、上部チャンネル１４、下部チャンネル及び第２の端部キャップ１８により形成される平行四辺形体は露出したままの状態にされる。平行四辺形体を隠すためには、フォアアーム延長体２０を、第１の端部キャップ１２に向けてフォアアーム延長ピン９２を中心に回転させる必要がある。しかしながら、上部チャンネル１４及び下部チャンネル１６と第１の端部キャップ１２は、フォアアーム延長体２０がこの状態で壁に対して面一になるのを妨げてしまう。かくして、先行技術の延長アーム１０は、装置を壁に対して面一に取着する機能またはフォアアーム延長体２０を隠すように装置を取り付ける機能を提供するだけであって、双方の機能を発揮することはできない。
【００６１】
これに対して、本発明の上部チャンネル１０４及び下部チャンネル１０６は、フォア延長体の回転を妨害することはない。即ち、フォアアーム延長体１１０は、上部チャンネル１０４及び下部チャンネル１０６の直接上方の位置に折り畳むことができる。従って、取り付けられた装置は、取り付け面と面一となり、第１及び第２の端部キャップ１０２及び１０８並びに上部及び下部チャンネル１０４及び１０６により形成される平行四辺形体、更にはフォアアーム延長体１１０を視界から隠すことができる。かくして、延長アーム１００の審美感が高まるとともに、延長アーム１００及び装置により占められるスペースを最小にすることができる。
【００６２】
別の実施の形態においては、図１４及び１５に示すように、延長アーム１００は、装置に対するケーブルが延長アーム１００の中に隠れるように、組込ケーブル管理システム(built in cable management system)を有している。この実施の形態においては、下部チャンネル１０６、第２の端部キャップ１０８及びフォアアーム延長体１１０は、以下に説明するように変更して構成することにより、ケーブルを内部で走行させることができる。
【００６３】
図１６に示すように、下部チャンネル１０６のチャンネル底部１９０に沿って長手方向に延びるケーブルチャンネル１９６は、第１の端部キャップ１０２に回動自在に連結したチャンネル底部１９０の端部付近で開始する第１の端部１９７を有している。次に、ケーブルチャンネル１９６は、チャンネル底部１９０の全長に沿って、第２の端部キャップ１０８に回動自在に連結するチャンネル底部１９０に延びている。かくして、ケーブルチャンネル１９６の第２の端部１９９は、第２の端部キャップ１０８に回動自在に連結するチャンネル底部の端部におけるローラ１３６間の開口である。第１の端部１９７は、例えば、下部チャンネル１０６の剛性を改善するように丸くすることができる。上記したように、ケーブルチャンネル１９６は、ケーブルチャンネル１９６内に取り外し自在に装着するように形成された（図１２Ｅに示す）ケーブルカバー１９８を受けるように形成されている。かくして、取り付けられた装置のケーブルは、視界から隠れるとともに損傷を受けないように、下部チャンネル１０６内に実質上保持することができる。ケーブルチャンネル１９６とケーブルカバー１９８により、所望によりケーブルにアクセスすることができるとともに、ケーブルを下部チャンネル１０６内に確保することができる。
【００６４】
図１７Ａ乃至１７Ｃに示すように、第２の端部キャップ１０８は、一部が閉止されたハウジング即ち部分閉止ハウジング２５０と、シャフト集成体２５２とを有している。部分閉止ハウジング２５０は、互いに対向して配置されかつ側壁２５８により固定して連結された第１の端部壁２５４と第２の端部壁２５６とを有している。側壁２５８は、内蔵することができるケーブルのような構成部材を操作することができるように、部分閉止ハウジング２５０の周囲を一部延びている。第１の端部壁２５４には、孔２６０が貫通して配設されているとともに、孔２６０と連通するねじ付き孔２６２が内部に配設されている。ねじ付き孔２６２とともに配設されているのは、止めねじ２６４である。孔２６０の直径は、ケーブルのプラグ端部を孔を挿通することができるように十分な大きさを有するのが好ましい。
【００６５】
図１８Ａ乃至１８Ｃに示すように、シャフト集成体２５２は、集成されたときに、中空のシャフト２６８を提供する２つの対称をなす端部キャップアダプタ２６６を有するのが好ましい。端部キャップアダプタ２６６は、取りつけ端部２７０と、取り付け端部２７０よりも細いシャフト端部２７２とを有している。双方の端部キャップ２６６の取りつけ端部２７０は、図１９に示すように、孔２６０に挿入され、互いに結合されるとともに、部分閉止ハウジング２５０に結合されて、止めねじ２６４を締め付けることにより、第２の端部キャップ１０８を形成する。
【００６６】
図２０Ａ及び２０Ｂについて説明すると、フォアアーム延長体１１０は、第１の端部に配置された第１の雌型カップリング１４２と、第２の端部に配置された第２の雌型カップリング１４４とを有する本体１４０を備えている。第１の雌型カップリング１４２は、第２の端部キャップ１０８の中空シャフト２６８と回転自在に係合するサイズに形成された内径２０９を有している。第１の雌型カップリング１４２はまた、中空シャフト２６８を介してケーブルを受けるように形成されている。即ち、第１の雌型カップリング１４２には、ケーブルスロット２７４が内部に形成されていて、このケーブルスロットは、例えば、ケーブルスロット２７４を第１の雌型カップリング１４２内に機械加工(mill)することにより、あるいはケーブルスロット２７４を一体的に形成するように第１の雌型カップリング１４２を注型することにより形成することができる。図２１Ａ及び２１Ｂに示すように、ブッシュ２１０にも、ケーブルスロット２７６が形成されている。ケーブルスロット２７４及び２７６は、ケーブルがこれらのケーブルスロットを挿通することができるように整合されている。
【００６７】
図１４について再度説明すると、フラットスクリーンモニタ３００が、第２の雌型カップリング１４４に回転自在に結合されているチルタ３０２に取着されている。電力ケーブルのようなケーブル３０４が、モニタ３００からフォアアーム延長体１００のＵ字状本体１４０から離隔した下側部に延びている。次いで、ケーブル３０４は、ケーブルホルダ２７８により、Ｕ字状本体１４０内の所定の位置に保持される。次に、ケーブル３０４は、本体から、ブッシュ２１０と第１の雌型カップリング１４２のケーブルスロット２７４及び２７６を介して延びる。次いで、ケーブルは、第２の端部キャップ１０８の中空シャフト２６８を介して延びる。そして、ケーブルは、部分閉止ハウジング２６０の開放端部を介して第２の端部キャップ２０８を出る。更に、ケーブル３０４は、下部チャンネル１０６の長手方向に沿って下方へ延び、ケーブルチャンネル１９６の第１の端部１９７を出る。
【００６８】
ケーブル３０４は、延長アーム１００の各部が集成されているときに延長アーム１００に挿入される。即ち、ケーブル３０４は、フォアアーム延長部１１０のＵ字状本体１４０の下に配置され、ケーブルホルダ２７８により所定の位置に保持される。次に、ケーブルは、ケーブルスロット２７４及び２７６に通される。プラグ３０６を有するケーブル３０４は、第２の端部キャップ１０８の孔２６０を介して供給される。第２の端部キャップ１０８は、ここで、各端部キャップのアダプタ２６８の取り付け端部２７０を孔２６０に挿入して、ケーブル３０４を包囲することにより集成される。端部キャップのアダプタ２６８は、止めねじ２６４を締め付けることにより同時に孔２６０内に保持される。次いで、中空シャフト２６８が、第１の雌型カップリング１４２内に配置される。ケーブル３０４は、下部チャンネル１０６と第２の端部キャップが互いに取り付けられる前に、下部チャンネル１０６内に配置される。これにより、ケーブル３０４は、ローラ１３６の上方に位置するとともに、上部チャンネル１０４と下部チャンネル１０６とにより形成される中空バーに内蔵される。
【００６９】
図１５について再度説明すると、延長アーム１００の幾つかの別の構成部材が示されている。審美的な観点から、バンパ２８０を、第２の端部キャップ１０８の第２の側壁２５６に配置することができるとともに、プラグ２８２を、第１の雌型カップリング１４２に配置することができる。ワッシャ２８４を、２つの端部キャップ２６８に対して配置して、アダプタを互いに取着し易くすることができる。
【００７０】
本発明を特定の実施の形態に関して説明したが、本発明の範囲に明らかに含まれる種々の変更及び修正を行うことができることは当業者に明らかである。本発明は、特許請求の範囲に記載の精神と範囲内において広範に保護されるものである。
【図面の簡単な説明】
【図１】  先行技術に係るコンピュータモニタを取着する延長アームを示す組立図である。
【図２】  先行技術に係る延長アームの第１の端部キャップを示す図である。
【図３】  先行技術に係る延長アームのクレビス集成体を示す図である。
【図４Ａ】  先行技術に係る延長アームの上部チャンネルを示す図である。
【図４Ｂ】  先行技術に係る延長アームの上部チャンネルを示す図である。
【図５Ａ】  先行技術に係る延長アームの下部チャンネルを示す図である。
【図５Ｂ】  先行技術に係る延長アームの下部チャンネルを示す図である。
【図６】  先行技術に係る延長アームの第２の端部キャップを示す図である。
【図７】  先行技術に係る延長アームのフォアアーム延長体を示す図である。
【図８】  本発明の一の実施の形態に係る延長アームの分解組立図である。
【図９Ａ】  本発明の一の実施の形態に係る図８の端部キャップを示す図である。
【図９Ｂ】  本発明の一の実施の形態に係る図８の端部キャップを示す図である。
【図９Ｃ】  本発明の一の実施の形態に係る図８の端部キャップを示す図である。
【図９Ｄ】  本発明の一の実施の形態に係る図８の端部キャップを示す図である。
【図１０Ａ】  本発明の一の実施の形態に係る図８の上部チャンネルを示す図である。
【図１０Ｂ】  本発明の一の実施の形態に係る図８の上部チャンネルを示す図である。
【図１０Ｃ】  本発明の一の実施の形態に係る図８の上部チャンネルを示す図である。
【図１０Ｄ】  本発明の一の実施の形態に係る図８の上部チャンネルを示す図である。
【図１０Ｅ】  本発明の一の実施の形態に係る図８の上部チャンネルを示す図である。
【図１０Ｆ】  本発明の一の実施の形態に係る図８の上部チャンネルを示す図である。
【図１１Ａ】  本発明の一の実施の形態に係る図８の下部チャンネルを示す図である。
【図１１Ｂ】  本発明の一の実施の形態に係る図８の下部チャンネルを示す図である。
【図１１Ｃ】  本発明の一の実施の形態に係る図８の下部チャンネルを示す図である。
【図１１Ｄ】  本発明の一の実施の形態に係る図８の下部チャンネルを示す図である。
【図１１Ｅ】  本発明の一の実施の形態に係る図８の下部チャンネルを示す図である。
【図１２Ａ】  本発明の一の実施の形態に係る図８のフォアアーム延長体を示す図である。
【図１２Ｂ】  本発明の一の実施の形態に係る図８のフォアアーム延長体を示す図である。
【図１３Ａ】  本発明の一の実施の形態に係る図８のフォアアーム延長体を示す図である。
【図１３Ｂ】  本発明の一の実施の形態に係る図８のフォアアーム延長体を示す図である。
【図１４】  本発明の一の実施の形態に係る延長アームを示す側面図である。
【図１５】  本発明の一の実施の形態に係る図１４の延長アームを示す分解組立図である。
【図１６】  本発明の一の実施の形態に係る図１４の下部チャンネルを示す図である。
【図１７Ａ】  本発明の一の実施の形態に係る図１４の第２の端部キャップの部分閉止ハウジングを示す図である。
【図１７Ｂ】  本発明の一の実施の形態に係る図１４の第２の端部キャップの部分閉止ハウジングを示す図である。
【図１７Ｃ】  本発明の一の実施の形態に係る図１４の第２の端部キャップの部分閉止ハウジングを示す図である。
【図１８Ａ】  本発明の一の実施の形態に係る図１４の第２の端部キャップのシャフト集成体を示す図である。
【図１８Ｂ】  本発明の一の実施の形態に係る図１４の第２の端部キャップのシャフト集成体を示す図である。
【図１９】  本発明の一の実施の形態に係る集成された第２の端部キャップを示す図である。
【図２０Ａ】  本発明の一の実施の形態に係る図１４のフォアアーム延長体を示す図である。
【図２０Ｂ】  本発明の一の実施の形態に係る図１４のフォアアーム延長体を示す図である。
【図２１Ａ】  本発明に係る図２０Ａ及び図２０Ｂの延長アームの第２の雌型カップリングにおいて使用するブッシュを示す図である。
【図２１Ｂ】  本発明に係る図２０Ａ及び図２０Ｂの延長アームの第２の雌型カップリングにおいて使用するブッシュを示す図である。
【符号の説明】
１００  延長アーム
１０２  第１の端部キャップ
１０４  上部チャンネル
１０６  下部チャンネル
１０８  第２の端部キャップ
１１０  フォアアーム延長体
１１２  部分閉止ハウジング
１１４  シャフト
１１６  孔
１１８  ピン
１２０  クレビス
１２２  ガスばね
１２４  ねじ付きロッド
１２６  保持クリップ
１２８  ねじ
１３０  Ｕ字状本体
１３２  ローラ
１３４  Ｕ字状本体
１３６  ローラ
１３８  ボールスタッド
１４０  本体
１４２  雌型カップリング
１４４  雌型カップリング
１４６  端部壁
１４８  端部壁
１５０  側壁
１５２  孔
１５４  タッピンねじ孔
１５６  ストッパ
１５８  トラフ壁
１６０  トラフ
１６２  棚
１６４  溝
１６６  第１の端部
１６８  付形開口
１７０  肩部
１７２  ねじ部
１７４  第２の端部
１７６  ねじ孔
１７８  締結部材
１８０  チャンネル底部
１８２  チャンネル側壁
１８４  孔
１８６  ねじ付き孔
１８８  長手方向の中心線
１９０  チャンネル底部
１９２  チャンネル側壁
１９４  孔
１９６  ケーブルチャンネル孔
１９７  第１の端部
１９８  ケーブルカバー
１９９  第２の端部
２００  長手方向の中心線
２０２  上部カバー
２０４  側壁
２０６  キャッチ
２０７  上壁
２０８  側壁
２０９  内径
２１０  ブッシュ
２１１  ねじ
２１２  止めねじ
２１３  カップリングトップ
２１４  壁
２１５  孔
２１６  隆起部
２１７  空所
２１８  内径
２２０  ブッシュ
２２２  止めねじ
２２４  壁
２２６  空所
２２８  長手方向の中心線
２５０  ハウジング
２５２  部分閉止ハウジング
２５４  第１の端部壁
２５６  第２の端部壁
２５８  側壁
２６０  孔
２６２  ねじ付き孔
２６４  止めねじ
２６６  端部キャップアダプタ
２６８  中空シャフト
２７０  取り付け端部
２７２  シャフト端部
２７４  ケーブルスロット
２７６  ケーブルスロット
２７８  ケーブルホルダ
２８０  バンパ
２８２  プラグ
２８４  ワッシャ
３００  フラットスクリーンモニタ
３０２  チルタ
３０４  ケーブル
３０６  プラグ
９００  中央リブ
９０２  対角リブ
【図１】
0004713744.tif 000002
【図２】
0004713744.tif 000003
【図３】
0004713744.tif 000004
【図４Ａ】
0004713744.tif 000005
【図４Ｂ】
0004713744.tif 000006
【図５Ａ】
0004713744.tif 000007
【図５Ｂ】
0004713744.tif 000008
【図６】
0004713744.tif 000009
【図７】
0004713744.tif 000010
【図８】
0004713744.tif 000011
【図９Ａ】
0004713744.tif 000012
【図９Ｂ】
0004713744.tif 000013
【図９Ｃ】
0004713744.tif 000014
【図９Ｄ】
0004713744.tif 000015
【図１０Ａ】
0004713744.tif 000016
【図１０Ｂ】
0004713744.tif 000017
【図１０Ｃ】
0004713744.tif 000018
【図１０Ｄ】
0004713744.tif 000019
【図１０Ｅ】
0004713744.tif 000020
【図１０Ｆ】
0004713744.tif 000021
【図１１Ａ】
0004713744.tif 000022
【図１１Ｂ】
0004713744.tif 000023
【図１１Ｃ】
0004713744.tif 000024
【図１１Ｄ】
0004713744.tif 000025
【図１１Ｅ】
0004713744.tif 000026
【図１２Ａ】
0004713744.tif 000027
【図１２Ｂ】
0004713744.tif 000028
【図１３Ａ】
0004713744.tif 000029
【図１３Ｂ】
0004713744.tif 000030
【図１４】
0004713744.tif 000031
【図１５】
0004713744.tif 000032
【図１６】
0004713744.tif 000033
【図１７Ａ】
0004713744.tif 000034
【図１７Ｂ】
0004713744.tif 000035
【図１７Ｃ】
0004713744.tif 000036
【図１８Ａ】
0004713744.tif 000037
【図１８Ｂ】
0004713744.tif 000038
【図１８Ｃ】
0004713744.tif 000039
【図１９】
0004713744.tif 000040
【図２０Ａ】
0004713744.tif 000041
【図２０Ｂ】
0004713744.tif 000042
【図２１Ａ】
0004713744.tif 000043
【図２１Ｂ】
0004713744.tif 000044